(57)【特許請求の範囲】
【請求項１】
天井側に設けられたレール装置に吊支されて移動可能な間仕切パネル体と、側壁の内部に設けられ、移動しない固定部に固定された進退機構により前記間仕切パネル体方向に進退動作する閉塞部材と、を有する移動間仕切装置の側部閉塞機構であって、
前記閉塞部材は、前記間仕切パネル体と対向するように独立して設けられ、前記レール装置の延伸方向上で該レール装置に吊支されて移動するように前記進退機構に接続されていることを特徴とする移動間仕切装置の側部閉塞機構。
【請求項２】
前記側部閉塞機構は、前記閉塞部材の上方を先行して押圧する押圧手段を有していることを特徴とする請求項１に記載の移動間仕切装置の側部閉塞機構。
【請求項３】
前記閉塞部材は、前記レール装置に一点で吊支されていることを特徴とする請求項１または２に記載の移動間仕切装置の側部閉塞機構。
【発明の詳細な説明】
【技術分野】
【０００１】
本発明は、オフィスや大会場、会議室等を所定の区画に仕切って使用するための移動間仕切装置の側部閉塞機構に関する。
【背景技術】
【０００２】
一般に移動間仕切装置は、誘導路を移動可能な間仕切パネル体を連接してオフィスや大会場、会議室等の部屋を所定の区画に仕切る用途で利用されている。このような移動間仕切装置にあっては、複数の間仕切パネル体を連接し壁面を形成する際に間仕切パネル体と部屋の側壁等の閉塞端部との間に隙間が生じ、この隙間から光漏れや音漏れが生じるという虞がある。そこで、特許文献１に開示されるように、側壁内に側壁の開口部（閉塞端部）を通って進退可能な接圧材（閉塞部材）と、圧接動作を行う圧接機構と、を備える隙間遮蔽装置（側部閉塞機構）を設け、天井に設けられたレールに吊支されるサイドパネル（間仕切パネル体）の側端部に対して圧接機構の圧接動作により接圧材を圧接させることで当該隙間を閉塞できるようにしたものがある。
【先行技術文献】
【特許文献】
【０００３】
【特許文献１】特開平８−９３３５０号公報（第２頁、第１図）
【発明の概要】
【発明が解決しようとする課題】
【０００４】
特許文献１にあっては、接圧材を圧接させるサイドパネルは、上方をレールに吊支されているのに対し、接圧材はボールネジにより進退方向にガイドされた状態で床面に荷重が支持されているため、サイドパネルの移動に伴い下方側が面方向に揺動して、サイドパネルと接圧材との上下に渡る対向端部がずれる虞があり、サイドパネルと接圧材との間の隙間が生じ、サイドパネルと閉塞端部との間を十分に閉塞できないという問題があった。
【０００５】
本発明は、このような問題点に着目してなされたもので、間仕切パネル体と閉塞端部との間を確実に閉塞できる移動間仕切装置の側部閉塞機構を提供することを目的とする。
【課題を解決するための手段】
【０００６】
前記課題を解決するために、本発明の移動間仕切装置の側部閉塞機構は、
天井側に設けられたレール装置に吊支されて移動可能な間仕切パネル体と、側壁の内部に設けられ、移動しない固定部に固定された進退機構により前記間仕切パネル体方向に進退動作する閉塞部材と、を有する移動間仕切装置の側部閉塞機構であって、
前記閉塞部材は、前記間仕切パネル体と対向するように独立して設けられ、前記レール装置の延伸方向上で該レール装置に吊支されて移動するように前記進退機構に接続されていることを特徴としている。
この特徴によれば、間仕切パネル体と閉塞部材とは、いずれも同じ誘導方向に案内されて移動するため、両者の対向端部を上下に亘り精度よく合わせることができ、間仕切パネル体と閉塞端部との間を確実に閉塞することができる。また、間仕切パネル体及び閉塞部材は、いずれも同じレール装置に吊支され、これらに作用する重力方向は一致していることから、両者の対向端部を一致させやすく、閉塞時の位置合わせを容易に行うことができる。
【０００８】
前記側部閉塞機構は、前記閉塞部材の上方を先行して押圧する押圧手段を有していることを特徴としている。
この特徴によれば、押圧手段により両者の対向端部のずれの少ない上方で閉塞部材と間仕切パネル体の対向端部同士を先行して一致させた状態とした後、下方側を一致させることができるため、対向端部同士を上下に亘り精度よく合わせることができる。
【０００９】
前記閉塞部材は、前記レール装置に一点で吊支されていることを特徴としている。
この特徴によれば、閉塞部材が一点で吊支されることにより間仕切パネル体方向に傾動しやすくなるため、前記押圧手段により閉塞部材の上方を先行して移動させやすい。
【図面の簡単な説明】
【００１０】
【図１】実施例における移動間仕切装置の側部閉塞機構による間仕切パネルの閉塞及び押圧の様子を示す斜視図である。
【図２】移動間仕切装置の側部閉塞機構における間仕切パネル及び側部閉塞部材の吊支構造を示す部分分解斜視図である。
【図３】移動間仕切装置の側部閉塞機構の構造を示す部分断面図である。
【図４】移動間仕切装置の側部閉塞機構の側部閉塞部材及び進退機構の閉塞動作を示す部分断面図である。
【図５】移動間仕切装置の側部閉塞機構の側部閉塞部材及び進退機構の閉塞動作を示す部分断面図である。
【図６】移動間仕切装置の側部閉塞機構の側部閉塞部材及び進退機構の閉塞動作を示す部分断面図である。
【００１１】
本発明に係る移動間仕切装置の側部閉塞機構を実施するための形態を実施例に基づいて以下に説明する。
【実施例】
【００１２】
実施例に係る移動間仕切装置の側部閉塞機構につき、図１から図６を参照して説明する。以下、図３の紙面手前側を移動間仕切装置の側部閉塞機構の正面側（前方側）とし、図３の紙面奥側を移動間仕切装置の側部閉塞機構の背面側（後方側）とし、その前方側から見たときの上下左右方向を基準として説明する。
【００１３】
本実施例の移動間仕切装置１０は、例えば、オフィスや展示会場、会議室等の室内空間を区画するために設置される間仕切装置である。図１に示されるように、移動間仕切装置１０は、室内空間の天井Ｃに設置されるレール３（誘導路，レール装置）と、レール３に案内されレール３に沿って移動可能な吊支部材３４，３４により上端が吊支される複数の間仕切パネル２，２，…（間仕切パネル体）と、から主に構成されている。
【００１４】
複数の間仕切パネル２，２，…は、不使用時にはレール３の一方の端部に設けられる格納レール３５の位置に格納されており、使用時には間仕切パネル２，２，…を側壁Ｖに設けられる移動規制端部４の方向にレール３に沿って手動で順次移動させることにより、間仕切パネル２，２，…を一列に連接させ、室内空間を仕切ることができるようになっている。尚、移動規制端部４とは、移動間仕切装置１０を構成する間仕切パネル２，２，…の内、先頭に設置される間仕切パネル２が当接し、先頭の間仕切パネル２の移動を規制する端部を構成する所定の側壁部や支柱等のことである。
【００１５】
また、図１に示されるように、移動規制端部４と対向した位置に配置される側壁Ｗには、空間Ｘが凹設されており、この空間Ｘ内に側部閉塞機構１が埋設されている。移動間仕切装置１０を構成する間仕切パネル２，２，…の内、最後尾の間仕切パネル２’は、側部閉塞機構１から進出退入可能に移動する側部閉塞部材１２により、その側部２ａと空間Ｘの側壁開口部５（閉塞端部）との間が閉塞されるようになっている。尚、閉塞端部とは、移動規制端部４と対向した位置で最後尾の間仕切パネル２’に対して相対移動しない固定部のことである。
【００１６】
側部閉塞部材１２が進出したとき、側部閉塞部材１２によって最後尾の間仕切パネル２’が移動規制端部４の方向に押圧されるようになっており、一列に連接された間仕切パネル２，２，…，２’がそれぞれ移動規制端部４の方向に押圧されて、隣接する間仕切パネル２，２，…，２’同士が密着し、遮音性や遮蔽性が高められるようになっている。
【００１７】
また、図２に示されるように、最後尾の間仕切パネル２’の側部２ａには、上下方向に亘って略コ字状の凹部２４ａが形成された凹型部材２４が図示しないボルトとナットで固定されている。さらに、側部閉塞部材１２の側部（後述する密閉部材２０の側端２０ａ）には、上下方向に亘って突出する凸部２５ａが形成された凸型部材２５が図示しないボルトとナットで固定されており、詳細は後述するとおり最後尾の間仕切パネル２’と側部閉塞部材１２の閉塞状態において、間仕切パネル２’の側部２ａに側部閉塞部材１２を構成する密閉部材２０の側端２０ａが当接した際に凹型部材２４と凸型部材２５とが凹凸嵌合するようになっている。
【００１８】
また、凹型部材２４の凹部２４ａの内方には、上下方向に亘って凹部２４ａの陥入方向に傾斜して突出する前後一対の密封部材２００，２００が取り付けられている。密封部材２００，２００は、弾性を有するゴム等で形成されており、凹型部材２４と凸型部材２５とが凹凸嵌合した際に、凸部２５ａの両側部に凹部２４ａの内方に取り付けられた密封部材２００，２００が前後からそれぞれ密着することにより、最後尾の間仕切パネル２’と側部閉塞部材１２の閉塞状態において遮音性や遮蔽性を確実に高められるようになっている。
【００１９】
また、凸型部材２５の凸部２５ａの突出端面には、上下方向に亘って弾性を有するゴム等で形成された緩衝部材２０１が取り付けられており、最後尾の間仕切パネル２’の側部２ａ等に凸部２５ａの突出端面が衝突した際に衝撃を吸収し、凸型部材２５の破損や変形を防止している。
【００２０】
また、本実施例において、隣接する間仕切パネル２，２，…，２’の両側部には、上述した凹型部材２４と凸型部材２５がそれぞれ取り付けられており、隣接する間仕切パネル２，２，…，２’の側部同士が当接した際に、対向する凹型部材２４と凸型部材２５とが凹凸嵌合することにより遮音性や遮蔽性を確実に高められるようになっている。
【００２１】
次いで、側部閉塞部材１２及び間仕切パネル２，２，…，２’のレール３に対する吊支構造について、図２を用いて説明する。尚、間仕切パネル２，２，…，２’の吊支構造は同一構成であるため、最後尾の間仕切パネル２’の吊支構造について説明し、他の間仕切パネル２，２，…の説明を省略する。
【００２２】
主に図２に示されるように、側部閉塞部材１２の上端面１２ａの支柱１４（図３参照）側には、吊支部材３４が取り付けられており、吊支部材３４は、側部閉塞部材１２の上端面１２ａに固定される基部３４ａと、該基部３４ａから上方に延びる軸部３４ｂと、該軸部３４ｂの上端に回転可能に取り付けられた前後一対のローラ３４ｃ，３４ｃと、該ローラ３４ｃ，３４ｃの左右にそれぞれ設けられるガイド部材３４ｄ，３４ｄと、から主に構成されている。
【００２３】
また、レール３は、下向き略Ｃ字状を成し、前後の屈曲部３ｅ，３ｅの端部が前後に離間して前後中央に左右方向に亘って開口３ｄが形成され、該開口３ｄが下方を向いた状態でレール３の下面３ａが天井面Ｃ１と略面一となるように埋設されており、その長手方向の端部３ｂが、間仕切パネル２，２，…，２’が吊支される本体部３ｃから延伸方向に延長して形成されており、この端部３ｂが側壁開口部５の上端から空間Ｘの内側に入り込むとともに、固定的に設けられる支柱１４の上端に支持されている（図３参照）。
【００２４】
吊支部材３４は、軸部３４ｂがレール３の開口３ｄを通って下方に突出した状態でレール３内に挿入されることにより、レール３内において、前後のローラ３４ｃ，３４ｃがレール３の屈曲部３ｅ，３ｅ上に載置されるとともに、ガイド部材３４ｄ，３４ｄが前後の溝部３ｆ，３ｆにそれぞれ嵌挿されるため、前後方向への移動が規制された状態でレール３に沿って滑らかに移動できるようになっている。
【００２５】
尚、吊支部材３４には、前後一対のローラ３４ｃ，３４ｃと直交する方向に回転する一対のローラ３４ｃ’，３４ｃ’が設けられており、該ローラ３４ｃ’，３４ｃ’は、例えば、前述したレール３の一方の端部に設けられる格納レール３５に間仕切パネル２，２，…を格納する際に、間仕切パネル２，２，…をレール３の延伸方向に直交する方向に移動させるために使用されるものである。
【００２６】
また、最後尾の間仕切パネル２’は、上端面２ｂに左右方向に所定間隔離間させて取り付けられた吊支部材３４，３４によりレール３の本体部３ｃに吊支されており、レール３の端部３ｂに吊支される側部閉塞部材１２と同様に前後方向への移動が規制されている。すなわち、側部閉塞部材１２と最後尾の間仕切パネル２’とがレール３に吊支部材３４により吊支されることにより、これらに作用する重力方向が一致するため、側部閉塞部材１２の側部（密閉部材２０の側端２０ａ）と最後尾の間仕切パネル２’の側部２ａとを揃えやすくなっている。
【００２７】
次いで、側部閉塞機構１の構造について図２及び図３を用いて説明する。図２及び図３に示されるように、側部閉塞機構１は、吊支部材３４によりレール３に吊支され、レール３に沿って移動可能な側部閉塞部材１２と、側部閉塞部材１２を左右方向に動作させる進退機構１３Ａ〜１３Ｃと、から主に構成されている。
【００２８】
主に図３に示されるように、側部閉塞部材１２は、間仕切パネル２の上下方向に亘って延びる密閉部材２０と、該密閉部材２０の支柱１４側に設けられた支持部材２１Ａ〜２１Ｃと、密閉部材２０と支持部材２１Ａ〜２１Ｃとを側部閉塞部材１２の移動方向に接離可能にそれぞれ連結する一対の弾性部材２２，２２と、から主に構成されている。
【００２９】
密閉部材２０は、間仕切パネル２よりも上下方向に長寸であり、上下端がレール３の下面３ａ及び床面Ｆにそれぞれ接触しない程度に近接した状態で、側壁開口部５から移動規制端部４側に向けて進出可能になっている。また、密閉部材２０の移動規制端部４側の側端２０ａには、前述した凸型部材２５が取り付けられ、凸部２５ａが移動規制端部４側に突出している。
【００３０】
密閉部材２０を側壁開口部５から移動規制端部４側に向けて進出させた場合、凸型部材２５が隣接する最後尾の間仕切パネル２の側部２ａに取り付けられた凹型部材２４と凹凸嵌合し、密閉部材２０の前後面により最後尾の間仕切パネル２’の側部２ａと側壁開口部５との間が閉塞されるようになっている（図６参照）。尚、密閉部材２０の内部には、図示しない吸音材が設けられており、閉塞時の遮音性が高められている。また、密閉部材２０の閉塞時には、その上下端とレール３の下面３ａ及び床面Ｆとの間に別体の閉塞部材をそれぞれ取り付けることにより、遮音性及び遮光性を高めるようにしてもよい。
【００３１】
支持部材２１Ａ〜２１Ｃは、密閉部材２０よりも上下方向に短寸を成し、密閉部材２０の支柱１４側に後述する進退機構１３Ａ〜１３Ｃの数に対応して設けられている。また、支持部材２１Ａ〜２１Ｃは、進退機構１３Ａ〜１３Ｃの第１リンク部３２，３２，…の端部３２ｂ，３２ｂ，…により上下方向の重心を外した一点の軸支部分Ｐ，Ｐ，…で軸支されている。
【００３２】
また、支持部材２１Ａ〜２１Ｃにおける移動規制端部４側の側面２１ａ，２１ａ，…の上下端近傍には、一対の弾性部材２２，２２がそれぞれ設けられている。
【００３３】
弾性部材２２は、左右方向に付勢するコイル状の圧縮バネ２２ａと、該圧縮バネ２２ａに軸通されるボルト形状の軸芯２２ｂと、から構成されており、軸芯２２ｂの一方の端部２２ｃは、支持部材２１Ａ（２１Ｂ，２１Ｃ）を貫通するように螺着されている。
【００３４】
また、軸芯２２ｂの他方の端部２２ｄは、密閉部材２０の側部２０ｂに穿設される貫通孔２０ｅと、密閉部材２０におけるハット形状の押圧部２０ｃの貫通孔２０ｆと、を貫通し、軸芯２２ｂの端部２２ｄに規制部材２０ｄが螺嵌することにより、軸芯２２ｂの端部が抜け止めされた構造となっている。
【００３５】
このように、弾性部材２２，２２の弾性復帰力と、軸芯２２ｂ，２２ｂの抜け止めの構造とによって、密閉部材２０との間に所定の左右間隔が保持されるようになっている。
【００３６】
また、密閉部材２０と支持部材２１Ａ〜２１Ｃとの間には、リミットスイッチ２３，２３，…が設けられている。
【００３７】
リミットスイッチ２３は、密閉部材２０の支柱１４側の側部２０ｂに取り付けられており、ここでは構造を詳細に図示しないが、移動間仕切装置１０の制御部（図示略）に接続される電気回路の開閉を行うマイクロスイッチ（図示略）を内蔵するスイッチ本体２３ａと、設置孔から密閉部材２０の支柱１４側に突出し左右に回動可能なヒンジ・レバー形の第１作動体２３ｂと、該第１作動体２３ｂの動作により操作されるプッシュプランジャ形の第２作動体（図示略）と、から構成されている。
【００３８】
また、第１作動体２３ｂの先端は、支持部材２１Ａ（２１Ｂ，２１Ｃ）の軸支部分Ｐから遠い位置に設けられる弾性部材２２の近傍に向けて延びており、密閉部材２０と支持部材２１Ａ（２１Ｂ，２１Ｃ）との隙間が上下方向に亘って閉塞した場合にのみ第１作動体２３ｂが回動して第２作動体が操作されることにより閉塞完了状態が検知され、移動間仕切装置１０の制御部に閉塞動作の完了を知らせる閉信号が出力されるようになっている（図６参照）。尚、各リミットスイッチ２３から閉信号を受け取った制御部は、対応する直動モータ３０Ａ〜３０Ｃの駆動をそれぞれ停止させるようになっている。
【００３９】
また、各リミットスイッチ２３により閉塞完了状態が検知された際には、移動間仕切装置１０の制御部により直動モータ３０Ａ〜３０Ｃへの電力の供給が停止され、後述するロッド３０ｂがそれぞれ正確な位置で停止・保持されていることから、前述した密閉部材２０と支持部材２１Ａ〜２１Ｃとを連結する各弾性部材２２，２２の圧縮バネ２２ａ，２２ａが蓄勢された状態で維持されており、圧縮バネ２２ａ，２２ａの付勢力より最後尾の間仕切パネル２’の側部２ａに側部閉塞部材１２を当接させた状態を維持できるようになっている。
【００４０】
また、進退機構１３Ａ〜１３Ｃにより移動規制端部４側に押出される支持部材２１Ａ〜２１Ｃの軸支部分Ｐ，Ｐ，…が支持部材２１Ａ〜２１Ｃの上下方向の重心からそれぞれずれていることにより、最後尾の間仕切パネル２’の側部２ａに当接した密閉部材２０には支持部材２１Ａ〜２１Ｃからそれぞれ偏荷重が作用するものであるが、上下の圧縮バネ２２ａ，２２ａは、同じ圧縮代で圧縮されるため、密閉部材２０による押圧力を上下方向に亘って略均一に調整することができる。
【００４１】
主に図３に示されるように、進退機構１３Ａ〜１３Ｃは、図示しない電源から供給される電力により駆動する直動モータ３０Ａ〜３０Ｃ（アクチュエータ）と、直動モータ３０Ａ〜３０Ｃの動力を側部閉塞部材１２の支持部材２１Ａ〜２１Ｃに伝達するリンク機構３１Ａ〜３１Ｃと、からそれぞれ構成されている。尚、進退機構１３Ａ〜１３Ｃは、同一構成であるため、最上段に設けられる進退機構１３Ａについて説明し、他の進退機構１３Ｂ，１３Ｃについては説明を省略する。
【００４２】
直動モータ３０Ａは、回転運動を直線運動に変換する図示しない台形ネジを内蔵するシリンダ３０ａと、台形ネジの先端に取り付けられシリンダ３０ａの端部から上下方向に直線的に進退可能に設けられるロッド３０ｂと、から構成される直動式のアクチュエータである。また、運動伝達の精度が高い台形ネジを使用したシリンダ３０ａによりロッド３０ｂを動作させているため、ロッド３０ｂを電力の供給が停止された際の停止位置で保持できるようになっている。
【００４３】
シリンダ３０ａには、略コ字形状のブラケット３６が固定されている。このブラケット３６は、シリンダ３０ａが固定される固定部３６ａと、固定部３６ａの前後両端から左側に延出された対向する側壁３６ｂ，３６ｂ’と、を備えており、支柱１４に対して移動規制端部４側から嵌合し側壁３６ｂ側をボルトとナットにより固定されている。
【００４４】
リンク機構３１Ａは、長尺の第１リンク部３２と、短尺の第２リンク部３３と、から構成され横向き略入字状を成しており、第１リンク部３２は、一方の端部３２ａが直動モータ３０Ａのロッド３０ｂの先端に回動可能に連結され、他方の端部３２ｂが前述した支持部材２１Ａの軸支部分Ｐに回動可能に連結されている。また、第２リンク部３３は、一方の端部３３ａが支柱１４に設けられた連結部材３７に回動可能に連結され、他方の端部３３ｂが第１リンク部３２の長手方向の略中央部分に回動可能に連結されている。
【００４５】
これによれば、直動モータ３０Ａのロッド３０ｂの上下方向の直線運動を受けて、リンク機構３１Ａは、第１リンク部３２と第２リンク部３３との協働により支持部材２１Ａの軸支部分Ｐに回動可能に連結される第１リンク部３２の端部３２ｂを、略左右方向に直線運動させるように力の方向の変換を行うことができる。
【００４６】
次いで、側部閉塞機構１における閉塞動作について図４〜６を用いて詳しく説明する。尚、側部閉塞機構１の進退機構１３Ａ〜１３Ｃは、同一構成であるため、最上段と最下段に設けられる進退機構１３Ａ，１３Ｃのみ図示して説明する。
【００４７】
図４に示されるように、側部閉塞部材１２及び進退機構１３Ａ〜１３Ｃによる閉塞動作が開始されると、先ず、前述した移動間仕切装置１０の制御部により進退機構１３Ａ〜１３Ｃを構成する直動モータ３０Ａ〜３０Ｃの内、最上段の直動モータ３０Ａのみが駆動される。
【００４８】
これにより、ロッド３０ｂが上方向に進出し、これに伴ってリンク機構３１Ａの第１リンク部３２の端部３２ａと第２リンク部３３の端部３３ａとが近づくことにより、第２リンク部３３が端部３３ａを支点に反時計回りに回動し、端部３３ｂが上方向に移動する。
【００４９】
第２リンク部３３の端部３３ｂの上方向への移動により、端部３３ｂに軸支された第１リンク部３２の端部３２ｂが移動規制端部４の方向に移動する。すなわち、直動モータ３０Ａが駆動されることによるロッド３０ｂの移動の力の方向（上下方向）が、第１リンク部３２の端部３２ｂを移動規制端部４の方向（左右方向）に移動させるような方向の力に変換され、側部閉塞部材１２が移動規制端部４の方向に進出する。このとき、制御部により最上段の直動モータ３０Ａのみが駆動されていることから、側部閉塞部材１２の上端側のみが先行して移動規制端部４の方向に進出することになる。
【００５０】
次に、移動間仕切装置１０の制御部は所定の時間経過すると、最上段の直動モータ３０Ａの駆動を継続させたまま、図示しない中段の進退機構１３Ｂと最下段の進退機構１３Ｃを構成する直動モータ３０Ｂ，３０Ｃを上方から順次駆動していき、直動モータ３０Ａ〜３０Ｃの駆動タイミングをずらす制御を行う。
【００５１】
尚、前述したように、直動モータ３０Ａ〜３０Ｃは電力が供給されていない状態では、シリンダ３０ａとロッド３０ｂとの相対位置が移動しないようになっており、最上段の直動モータ３０Ａのみが駆動されると側部閉塞部材１２の上端側が先行して移動規制端部４の方向に進出する。このとき、中段、最下段のリンク機構３１Ｂ，３１Ｃは移動・変形することがなく、直動モータ３０Ａ〜３０Ｃの駆動タイミングをずらすことによりリンク機構３１Ａ〜３１Ｃの変形量を段階的に調整することができる。
【００５２】
また、側部閉塞部材１２を構成する密閉部材２０は、吊支部材３４を介してレール３に一点で吊支されているため、移動規制端部４側に傾動しやすくなっており、上述したように直動モータ３０Ａ〜３０Ｃの駆動タイミングをずらしてリンク機構３１Ａ〜３１Ｃの変形量を段階的に調整することにより、側部閉塞部材１２の上端側のみを先行して移動させて移動規制端部４側に前のめり状に傾斜させることができる。
【００５３】
これにより、図５に示されるように、直動モータ３０Ａ〜３０Ｃに連結される第１リンク部３２，３２，…の端部３２ｂ，３２ｂ，…の移動規制端部４側への移動量が上方から段階的に大きくなるように調整され、側部閉塞部材１２が前のめり状に傾斜させたまま、移動規制端部４の方向に進出される。尚、図４及び図５においては、説明を分かり易くするために傾斜を極端に図示している。
【００５４】
そして、側部閉塞部材１２を移動規制端部４の方向にさらに進出させることにより、密閉部材２０の側端２０ａに設けられた凸型部材２５の凸部２５ａと、最後尾の間仕切パネル２’の側部２ａに設けられた凹型部材２４の凹部２４ａとが、上端側で部分的に凹凸嵌合し、側部閉塞部材１２の上端側のみが間仕切パネル２’の側部２ａに先行して当接する。
【００５５】
上述したように、側部閉塞部材１２の上端側を最後尾の間仕切パネル２’の側部２ａに当接させたまま、直動モータ３０Ａ〜３０Ｃの駆動を継続させることにより、側部閉塞部材１２の上端側における移動規制端部４側への押圧力が大きくなり、最上段の進退機構１３Ａに対応する密閉部材２０と支持部材２１Ａとの左右の隙間がそれぞれ上下方向に亘って全て閉塞される。
【００５６】
密閉部材２０と支持部材２１Ａとの左右の隙間が上下方向に亘って全て閉塞されたことに伴い、最上段の進退機構１３Ａに対応するリミットスイッチ２３の第１作動体２３ｂが回動してプッシュプランジャ形作動体（図示略）が操作されて閉塞完了状態が検知される。そして、この検知情報に基づき移動間仕切装置１０の制御部に閉信号が送られ、最上段の直動モータ３０Ａの駆動が停止される。
【００５７】
また、最上段の直動モータ３０Ａの駆動が停止された後も下方側の直動モータ３０Ｂ，３０Ｃの駆動は継続されているため、第１リンク部３２，３２の端部３２ｂ，３２ｂが移動規制端部４の方向に移動していくことにより、下方側の進退機構１３Ｂ、１３Ｃに対応するリミットスイッチ２３，２３により閉塞完了状態が上方から順次検知され、直動モータ３０Ｂ，３０Ｃの駆動が上方から順次停止されていく。
【００５８】
これにより、側部閉塞部材１２は、最後尾の間仕切パネル２’の側部２ａに先行して当接させた上端側を支点に回動するように下端側が移動規制端部４の方向に進出していく。このとき、側部閉塞部材１２と最後尾の間仕切パネル２’は、それぞれ同じレール３に吊支されていることから、互いの前後方向の位置が一致し易い。さらに、吊支部材３４を中心とする振れ幅が小さい上端側の対向端部同士が先に揃うため、側部閉塞部材１２と最後尾の間仕切パネル２’の側方位置が上下方向に亘って確実に揃い易くなっている。
【００５９】
そして、図６に示されるように、側部閉塞部材１２と最後尾の間仕切パネル２’の対向端部同士が上下方向に亘って揃えられた状態で、進退機構１３Ａ〜１３Ｃにより側部閉塞部材１２が最後尾の間仕切パネル２’の側部２ａに対して略平行な力で移動規制端部４の方向に押圧された状態となり、間仕切パネル２’と側壁開口部５との間が側部閉塞部材１２により閉塞されることにより、側部閉塞部材１２及び進退機構１３Ａ〜１３Ｃによる閉塞動作が完了する。
【００６０】
また、本実施例において、間仕切パネル２，２，…，２’は、レール３及び床面Ｆとの間の上下の隙間を閉塞する図示しない閉塞部材を備えており、側部閉塞部材１２によって間仕切パネル２，２，…，２’がそれぞれ移動規制端部４の方向に押圧され、間仕切パネル２，２，…，２’の側方の当接部分が上下左右に亘り精度良く位置決めされた状態で上記閉塞部材により上下の隙間を閉塞させることができるため、間仕切パネル２，２，…，２’の上下及び側方の隙間を高い精度で閉塞することができる。
【００６１】
以上説明したように、間仕切パネル２，２，…，２’と側部閉塞部材１２は、いずれも同じ延伸方向上のレール３に案内されて移動することにより、最後尾の間仕切パネル２’の側部２ａと側部閉塞部材１２を構成する密閉部材２０の側端２０ａとを上下に亘り精度よく合わせることができ、最後尾の間仕切パネル２’と側壁開口部５との間を確実に閉塞できる。
【００６２】
また、最後尾の間仕切パネル２’の側部２ａと密閉部材２０の側端２０ａは、当接する際に凸型部材２５の凸部２５ａが凹型部材２４の凹部２４ａに誘導されるように凹凸嵌合するため、側部閉塞部材１２の上端側を、最後尾の間仕切パネル２’の側部２ａに側方位置を上下に亘って精度よく揃えられる。
【００６３】
また、側部閉塞部材１２は、レール３の延伸方向上に設けられる支柱１４とリンク機構３１Ａ〜３１Ｃを介して接続されているため、レール３に沿って移動する側部閉塞部材１２にリンク機構３１Ａ〜３１Ｃを介して直動モータ３０Ａ〜３０Ｃの動力を効率よく伝えることができる。
【００６４】
また、レール３の延伸方向上に支柱１４とリンク機構３１Ａ〜３１Ｃと側部閉塞部材１２が直線状に配置されるため、側部閉塞機構１の厚みを小さく構成することができる。
【００６５】
また、側部閉塞部材１２は、吊支部材３４によりレール３に吊支されており、荷重の大半をレール３に支持させることができ、わずかな力でもレール３に沿って移動させることができるため、リンク機構３１Ａ〜３１Ｃを用いて直動モータ３０Ａ〜３０Ｃの動作方向を変換する構成であっても容易に側部閉塞部材１２を移動させることができる。
【００６６】
また、リンク機構３１Ａ〜３１Ｃに側部閉塞部材１２の荷重を支持させる必要がないため、リンク機構３１の強度を高める必要がないとともに、直動モータ３０Ａ〜３０Ｃによる動力も小さくて済むため、進退機構１３Ａ〜１３Ｃを小さく構成することができる。
【００６７】
このように、側部閉塞機構１を小さく構成できるため、間仕切パネル２，２，…にガラス面を有する透光性パネル等を使用した際に、移動規制端部４から側壁開口部５まで左右方向に亘って透光性・装飾性に優れた壁面を形成することができる。
【００６８】
尚、間仕切パネル２’と側部閉塞部材１２の閉塞状態を解除する動作は、上述した閉塞動作の逆の順序で動作させる方法に限らず、退入時には側部閉塞部材１２を略平行に移動させるように進退機構を制御してもよい。また、この場合、所定の開検知スイッチ等を設けることにより密閉部材２０全体が側壁開口部５から空間Ｘ内に退入して閉塞状態の解除が完了したことを検知できるようにしてもよい。
【００６９】
また、側部閉塞機構１は、移動規制端部４と対向した位置に配置される側壁Ｗに凹設された空間Ｘ内に側壁開口部５から突出しないように配置される態様について説明したが、側部閉塞機構は、側壁開口部５から突出して配置されていてもよい。この場合には、側部閉塞部材の動作前の状態における側部閉塞機構の移動規制端部４側の側部が閉塞端部となる。
【００７０】
以上、本発明の実施例を図面により説明してきたが、具体的な構成はこれら実施例に限られるものではなく、本発明の要旨を逸脱しない範囲における変更や追加があっても本発明に含まれる。
【００７１】
例えば、前記実施例では、間仕切パネル２，２，…及び側部閉塞部材１２は、連続する１本のレール３に吊支される態様として説明したが、これに限らず、間仕切パネル２，２，…が吊支されるレールと、側部閉塞部材１２が吊支されるレールは延伸方向上に設置され、少なくとも側部閉塞部材１２が各レールに亘って移動可能であればよい。
【００７２】
また、前記実施例では、側部閉塞部材１２の上端側を先行させる押圧手段として直動モータ３０Ａ〜３０Ｃを移動間仕切装置１０の制御部により段階的に上方から順次駆動させるように駆動タイミングをずらす制御を行う態様として説明したが、これに限らず、押圧手段は、側部閉塞部材の上端側が先行し、下端側が回動するように閉塞動作を行うものであればよく、例えば、側部閉塞部材に接続される進退機構のリンク機構の構造の違いによって側部閉塞部材の上端側が先行するように進出タイミングをずらしてもよい。
【００７３】
また、前記実施例では、側部閉塞部材１２の上端側から当接と押圧を同時に行いながら上方から下方に亘って順次閉塞動作を完了させる態様として説明したが、これに限らず、側部閉塞部材１２の上端側から先行して当接させ、最後尾の間仕切パネル２’の側部２ａに対して対向端部を揃えた後、押圧を行うことにより閉塞動作を完了させてもよい。
【００７４】
また、前記実施例において、進退機構１３Ａ〜１３Ｃは、上下に３つ設けられる態様として説明したが、これに限らず、進退機構の個数や配置等は自由に構成されてよい。尚、進退機構は、上下に複数設けられることが好ましい。
【００７５】
また、前記実施例において、進退機構１３Ａ〜１３Ｃは、上方から下方に向けて順次動作するように制御される態様として説明したが、これに限らず、進退機構は、上方から下方に向けて順次動作するものでなくてもよい。
【００７６】
また、前記実施例では、間仕切パネル２，２，…及び側部閉塞部材１２は、室内空間の天井Ｃに設置されるレール３に吊支部材３４により上端が吊支され、レール３に沿って移動可能な態様として説明したが、これに限らず、間仕切パネル及び側部閉塞部材は、床面Ｆに設置された誘導路に立設状態で支持され、該誘導路に案内され該誘導路に沿って移動可能なものであってもよい。また、この場合、側部閉塞部材の下端側を先行させ、最後尾の間仕切パネルの側部に側部閉塞部材の下端側を当接させてから上方に向けて閉塞動作を行うことが好ましい。
【００７７】
また、間仕切パネル及び側部閉塞部材は、上下端部が誘導路に支持されていてもよい。
【００７８】
直動モータの駆動を制御する制御部を、配置する場所は問わず、例えば、側部閉塞機構に内蔵されるものでも、離れた場所から遠隔制御するものであってもよい。
【符号の説明】
【００７９】
１                側部閉塞機構
２，２’          間仕切パネル（間仕切パネル体）
３                レール（誘導路，レール装置）
４                移動規制端部
５                側壁開口部（閉塞端部）
１０              移動間仕切装置
１２              側部閉塞部材（閉塞部材）
１３Ａ〜１３Ｃ    進退機構（進退機構・押圧手段）
１４              支柱
２０              密閉部材
２１Ａ〜２１Ｃ    支持部材
２２              弾性部材
２３              リミットスイッチ
２４              凹型部材
２５              凸型部材
３０Ａ〜３０Ｃ    直動モータ（アクチュエータ）
３１Ａ〜３１Ｃ    リンク機構
３２              第１リンク部
３３              第２リンク部
３４              吊支部材
２００            密封部材
２０１            緩衝部材
【図１】
0006783070.tif 000002
【図２】
0006783070.tif 000003
【図３】
0006783070.tif 000004
【図４】
0006783070.tif 000005
【図５】
0006783070.tif 000006
【図６】
0006783070.tif 000007